(57)【要約】【課題】内蓋と外蓋を連結することによって確実な封蓋ができる構造簡単で安価に製造できる封蓋具を提供すること。【解決手段】折り曲げ方向がそれぞれ直交する左右の内蓋と前後の外蓋を有するダンボール等の紙函の蓋をする封蓋具であって、被蓋状態において、前後の外蓋の上面を押さえる押圧片と、前後の外蓋の突き合い端部間に差し入れられて一方側の内蓋の下面に接触する支持片を押圧片との間で一定間隔を開けると共に同支持片の自由端が押圧片の端部から突出するようにして一体形成したことを特徴とする。【選択図】図１
2014073872.tif 000002
【特許請求の範囲】
【請求項１】
折り曲げ方向がそれぞれ直交する左右の内蓋と前後の外蓋を有するダンボール等の紙函の蓋をする封蓋具であって、被蓋状態において、前後の外蓋の上面を押さえる押圧片と、前後の外蓋の突き合い端部間に差し入れられて一方側の内蓋の下面に接触する支持片を押圧片との間で一定間隔を開けると共に同支持片の自由端が押圧片の端部から突出するように一体形成したことを特徴とする紙函における封蓋具。
【請求項２】
請求項１記載の封蓋具を樹脂成形としたことを特徴とする紙函における封蓋具。
【請求項３】
請求項１記載の封蓋具を線材成形としたことを特徴とする紙函における封蓋具。
【発明の詳細な説明】
【技術分野】
【０００１】  本発明は、内蓋と外蓋を有するダンボール等の紙函において極めて簡単な操作で確実に封蓋することができ、また、簡単に開蓋することができる紙函における封蓋具に関するものである。
【背景技術】
【０００２】
【特許文献１】  特許第４７４１４５０号公報
【発明の開示】
【発明が解決しようとする課題】
【０００３】  ダンボール等の両開き蓋付き容器用クリップの１例として、特許第４７４１４５０号公報に記載されるものがあるが、これは、容器の両開きの蓋が互いに反対方向から挿入される挿入部を隔てて配置される第一部材と第二部材とが、蓋の外面と内面とにそれぞれ対向して配置されるべき接触面を有し、かつ、第一部材と第二部材とは前記挿入部に形成された連結部により連結されていることを特徴とするものであった。【０００４】  然しながら、このような構造のものは例えばダンボール函の場合、外蓋同士を第一部材と第二部材の間に差し入れ、挿入部に形成された接触面での噛み合いによって連結して封蓋するものであるため、封蓋作業が面倒であるだけでなく、可動自在の外蓋同士の連結であるから、両外蓋の突き合い端部間に連結部の巾だけの隙間が生じ、これによって外蓋と函本体との間で若干の隙間が生じるので、函は完全な状態で被蓋されないという問題点だけでなく、開蓋するときにも外蓋を第一部材と第二部材との間から無理やり引き抜きしなければならないので、複数回封蓋、開蓋を繰り返すと外蓋と第一部材と第二部材の噛み合いが甘くなり、前記隙間が大きくなって更に被蓋状態が悪化するという問題点があった。【０００５】  本発明は、従来の封蓋具の問題点を解決するために、内蓋と外蓋を有するダンボール等の紙函において、内蓋と外蓋を連結することによって確実な封蓋ができる構造簡単で安価に製造できる封蓋具を提供することにある。
【課題を解決するための手段】
【０００６】  本発明は、折り曲げ方向がそれぞれ直交する左右の内蓋と前後の外蓋を有するダンボール等の紙函の蓋をする封蓋具であって、被蓋状態において、前後の外蓋の上面を押さえる押圧片と、前後の外蓋の突き合い端部間に差し入れられて一方側の内蓋の下面に接触する支持片を押圧片との間で一定間隔を開けると共に同支持片の自由端が押圧片の端部から突出するようにして一体形成したことを特徴とするものである。
【発明の作用】
【０００７】  本発明の封蓋具では、前後の外蓋の上面を押さえる押圧片と内蓋の下面に接触する支持片との間で外蓋と内蓋とが挟着されて一体化することによって被蓋状態が保持される。
【実施例】
【０００８】  図１は、本発明封蓋具を樹脂成形した場合の斜視図、図２は、同平面図、図３は、同側面図、図４は、封蓋具の蓋への装着方法を表す説明図であって、（ａ）は、支持片を前後の外蓋の突き合い端部間に差し入れている状態を表し、（ｂ）は、押圧片が前後の外蓋の上面を押さえて支持片が内蓋の下面に接触している状態を表し、（ｃ）は、封蓋具の蓋への装着が完了した状態を表す。【０００９】  図５は、本発明封蓋具によって内蓋と外蓋を有するダンボール等の紙函を被蓋した状態を表す斜視図、図６は、本発明封蓋具を線材によって成形した場合の斜視図である。【００１０】  図１〜図５において、１は、左右の内蓋Ｂ−１、Ｂ−１と前後の外蓋Ｂ−２、Ｂ−２を有するダンボール等の紙函Ｂの蓋をする封蓋具本体であって、被蓋状態において、前後の外蓋Ｂ−２、Ｂ−２の上面を押さえる押圧片２と、前後の外蓋Ｂ−２、Ｂ−２の突き合い端部ｂ間に差し入れられて一方的の内蓋Ｂ−１の下面に接触する支持片３とを前記押圧片２との間に連結部２−１を介し一定間隔ｍを開けると共に支持片３の自由端が押圧片２の端部から突出するようにるようにして一体形成したものである。【００１１】  上記一定間隔ｍは、紙函Ｂの蓋の厚さの略２倍の間隔に設定してあることが好ましい。【００１２】  本発明の封蓋具は上記構成であるので、図４（ａ）のように自由端が押圧片２の端部から突出する支持片３を前後の外蓋の突き合い端部間に斜め方向から差し入れて自重により垂れている内蓋Ｂ−１の端部を掬うようにして矢印方向に回転させると、図４（ｂ）のように外蓋Ｂ−２、Ｂ−２と内蓋Ｂ−１の一部が押圧片２と支持片３との間で挟着された状態になる。【００１３】  この図４（ｂ）の状態から矢印方向に押して連結部２−１が内蓋Ｂ−１の端部に当接するところまでずらせれば図４（ｃ）のように紙函Ｂの一方側の蓋に対する封蓋具本体１の装着が完了する。【００１４】  上記操作を紙函Ｂの他方側の蓋に対して行えば図５の斜視図のような被蓋状態となる。【００１５】  この状態では折り曲げ方向がそれぞれ直交する内蓋と前後の外蓋とを封蓋具でロックして一体化させるようになっているので、外蓋と函本体との間で隙間が生じることがなく、完全な被蓋状態が保持される。【００１６】  この図４（ｃ）の封蓋状態から開蓋する場合は、前述の手順とは逆の操作を行えば簡単に封蓋具が取り外せるものである。【００１７】  前記図１〜図５では、封蓋具は樹脂成形した場合の実施例であったが、図６のように線材の折り曲げ加工によって製作することも可能である。
【発明の効果】
【００１８】  以上述べたように、本発明の封蓋具によれば、折り曲げ方向がそれぞれ直交する左右の内蓋と前後の外蓋を有するダンボール等の紙函の蓋をする封蓋具であって、被蓋状態において、前後の外蓋の上面を押さえる押圧片と、前後の外蓋の突き合い端部間に差し入れられて一方側の内蓋の下面に接触する支持片を押圧片との間で一定間隔を開けると共に同支持片の自由端が押圧片の端部から突出するようにして一体形成したもので、封蓋具の固定部位を外蓋と直交する函の内蓋に求めたものであるから、
▲１▼  外蓋は封蓋具を介して内蓋に固定された状態となって確実な被蓋状態が得られる。
▲２▼  封蓋具の装着、着脱が極めて簡単である。
▲３▼  封蓋具の装着、着脱を繰り返した場合、紙函であっても蓋の劣化は殆どなく、被蓋状態が悪化することが殆どない。
▲４▼  封蓋具は構造簡単で製造単価も安価であり、樹脂成形だけでなく線材による製作も可能で、用途によって装飾が必要な場合は押圧片の形状、色彩を変えて製作することもできる等変化性をもたせることも可能である。
等の効果を奏し得るものである。
【図面の簡単な説明】
【００１９】
【図１】  本発明封蓋具を樹脂成形した場合の斜視図である。
【図２】  同平面図である。
【図３】  同側面図である。
【図４】  封蓋具の蓋への装着方法を表す説明図であって、（ａ）は、支持片を前後の外蓋の突き合い端部間に差し入れている状態を表し、（ｂ）は、押圧片が前後の外蓋の上面を押さえて支持片が内蓋の下面に接触している状態を表し、（ｃ）は、封蓋具の蓋への装着が完了した状態を表す。
【図５】  本発明封蓋具によって内蓋と外蓋を有するダンボール等の紙函を被蓋した状態を表す斜視図である。
【図６】  本発明封蓋具を線材によって成形した場合の斜視図である。
【符号の説明】
【００２０】１      封蓋具本体
２      押圧片
３      支持片
【図１】
2014073872.tif 000003
【図２】
2014073872.tif 000004
【図３】
2014073872.tif 000005
【図４】
2014073872.tif 000006
【図５】
2014073872.tif 000007
【図６】
2014073872.tif 000008